【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
８０モルパーセント〜１００モルパーセントの疎水性成分と、０〜２０モルパーセントの荷電成分とを含むポリマーと、
生物活性剤と
溶媒とを含む皮膜形成用組成物であって、前記ポリマー及び前記生物活性剤が前記組成物に均一に分散した皮膜形成用組成物。
【請求項２】
前記ポリマーが、ランダムポリマー、ブロックポリマー、グラフトポリマー、ハイパーブランチポリマーからなるグループから選択された構造を備えた請求項１に記載の皮膜形成用組成物。
【請求項３】
前記疎水性成分が、重合可能なモノマー、オリゴマー、またはポリマーを含む物質である請求項１又は２に記載の皮膜形成用組成物。
【請求項４】
前記疎水性成分用の物質が、メチルアクリレート（ＭＡ）、メチルメタクリレート（ＭＭＡ）、エチルアクリレート（ＥＡ）、エチルメタクリレート（ＥＭＡ）、２−メトキシエチルアクリレート（ＭＥＡ）、２−メトキシエチルメタクリレート（ＭＥＭＡ）、スチレン（Ｓｔｙ）、酢酸ビニル（ＶＡ）、ネオデカン酸ビニル（ＶＮＤ）、２−エチルヘキシルメタクリレート（ＥＨＭＡ）、２−エチルヘキシルアクリレート（ＥＨＡ）、ブチルアクリレート（ＢＡ）、ブチルメタクリレート（ＢＭＡ）、ラウリルアクリレート（ＬＡ）、及びそれらの混合物からなるグループから選択された請求項３に記載の皮膜形成用組成物。
【請求項５】
前記荷電成分が、重合可能なモノマー、オリゴマー、またはポリマーを含む物質である請求項１〜４のいずれか１つに記載の皮膜形成用組成物。
【請求項６】
前記荷電成分の物質が、Ｎ，Ｎ−ジメチルアミノアルキルアクリレート、Ｎ，Ｎ−ジメチルアミノアルキルメタクリレート、Ｎ，Ｎ−ジメチルアミノエチルアクリレート（ＤＭＡＥＡ）、［２（メタクリロイルオキシ）エチル］トリアルキルアンモニウム塩、［２−（アクリロイルオキシ）エチル］トリアルキルアンモニウム塩、塩化［２−（アクリロイルオキシ）エチル］トリメチルアンモニウム（ＡＥＴＭＡＣ）、Ｎ，Ｎ−ジメチルアミノアルキルメタクリルアミド、Ｎ，Ｎ−ジメチルアミノアルキルアクリルアミド、Ｎ，Ｎ，Ｎ−トリメチルアミノアルキルメタクリルアミド塩、Ｎ，Ｎ，Ｎ−トリメチルアミノアルキルアクリルアミド塩、（ビニルベンジル）トリアルキルアンモニウム塩、塩化（ビニルベンジル）トリメチルアンモニウム（ＶＢＴＭＡＣ）、アクリル酸（ＡＡ）、メタクリル酸（ＭＡＡ）、イトコン酸（ＩＣ）、クロトン酸、無水マレイン酸、マレイン酸、フマル酸、モノ−２−（メタクリロイル）エチルコハク酸エステル（ＭＡＥＳ）、２−アクリルアミド−２−メチル−１−プロパンスルホン酸（ＡＭＰＳ）、ビニルホスホン酸（ＶＰＡ）、及びそれらの混合物からなるグループから選択された請求項５に記載の皮膜形成用組成物。
【請求項７】
前記ポリマーが、５モルパーセント以下のメタクリル酸（ＭＡＡ）を含み、前記ポリマーの残りのモルパーセントが２−エチルヘキシルメタクリレート（ＥＨＭＡ）及びメチルメタクリレート（ＭＭＡ）であってその割合が７５／２５〜５０／５０モルパーセントＥＨＭＡ／ＭＭＡである請求項１〜６のいずれか１つに記載の皮膜形成用組成物。
【請求項８】
前記ポリマーが、２モルパーセント以下のメタクリル酸（ＭＡＡ）を含み、前記ポリマーの残りのモルパーセントが２−エチルヘキシルメタクリレート（ＥＨＭＡ）及びメチルメタクリレート（ＭＭＡ）であってその割合が５５／４５〜５０／５０モルパーセントＥＨＭＡ／ＭＭＡである請求項７に記載の皮膜形成用組成物。
【請求項９】
前記溶媒が、９０〜１００容量パーセントのオクタンと０〜１０容量パーセントのイソプロパノールとを含む請求項８に記載の皮膜形成用組成物。
【請求項１０】
前記ポリマーが、０〜５モルパーセントのメタクリル酸（ＭＡＡ）と、３０〜４５モルパーセントのメチルメタクリレート（ＭＭＡ）と、１〜１５モルパーセントの２−メトキシエチルメタクリレート（ＭＥＭＡ）とを含み、前記ポリマーの残りのモルパーセントが２−エチルヘキシルメタクリレート（ＥＨＭＡ）である請求項１〜６のいずれか１つに記載の皮膜形成用組成物。
【請求項１１】
前記ポリマーが、０〜２モルパーセントのメタクリル酸（ＭＡＡ）と、３５〜４０モルパーセントのメチルメタクリレート（ＭＭＡ）と、５〜１５モルパーセントの２−メトキシエチルメタクリレート（ＭＥＭＡ）とを含み、前記ポリマーの残りのモルパーセントが２−エチルヘキシルメタクリレート（ＥＨＭＡ）である請求項１０に記載の皮膜形成用組成物。
【請求項１２】
前記溶媒が、８５〜１００容量パーセントのオクタンと０〜１５容量パーセントのイソプロパノールとを含む請求項１１に記載の皮膜形成用組成物。
【請求項１３】
前記ポリマーが、さらに親水性成分を含み、前記ポリマーが、０〜１０モルパーセントの荷電成分を含み、前記ポリマーの残りのモルパーセントが親水性成分及び疎水性成分であってその割合が６０／４０パーセント〜８０／２０パーセントである請求項１に記載の皮膜形成用組成物。
【請求項１４】
前記親水性成分が、重合可能なモノマー、オリゴマー、またはポリマーを含む物質である請求項１３に記載の皮膜形成用組成物。
【請求項１５】
前記親水性成分用の物質が、Ｎ−ビニルピロリドン（ＶＰＬ）、２−ヒドロキシエチルアクリレート（ＨＥＡ）、２−ヒドロキシエチルメタクリレート（ＨＥＭＡ）、Ｎ，Ｎ−ジメチルアクリルアミド（ＤＭＡ）、Ｎ−［トリス（ヒドロキシメチル）メチル］アクリルアミド（ＴＨＭＭＡＭ）、ポリエチレングリコールアクリレート（ＰＥＧＡ）、ポリエチレングリコールメタクリレート（ＰＥＧＭＡ）、及びそれらの混合物からなるグループから選択された請求項１４に記載の皮膜形成用組成物。
【請求項１６】
前記ポリマーが、前記荷電成分として２．０から７．５モルパーセントのアクリル酸（ＡＡ）を含み、前記ポリマーの残りのモルパーセントが、前記疎水性成分としてのメチルアクリレート（ＭＡ）及び前記親水性成分としての２−ヒドロキシエチルメタクリレート（ＨＥＭＡ）であってその割合が４０／６０パーセントＭＡ／ＨＥＭＡ〜２０／８０パーセントＭＡ／ＨＥＭＡである請求項１５に記載の皮膜形成用組成物。
【請求項１７】
前記溶媒が、６０〜８５容量パーセントの水と１５〜４０容量パーセントのエタノールとを含む請求項１６に記載の皮膜形成用組成物。
【請求項１８】
前記溶媒が、さらに水酸化アンモニウム、２−アミノメチルプロパノール（２−ＡＭＰ）、及びそれらの混合物を含む請求項１７に記載の皮膜形成用組成物。
【請求項１９】
前記生物活性剤が、治療薬、化粧剤、及びそれらの混合物からなるグループから選択された親水性物質である請求項１〜１８のいずれか１つに記載の皮膜形成用組成物。
【請求項２０】
前記治療薬が、治療効果のある量の抗菌剤、局所麻酔剤、抗真菌剤、酸化防止剤、及びそれらの混合物からなるグループから選択された請求項１９に記載の皮膜形成用組成物。
【請求項２１】
前記化粧剤が、顔料、染料、及びそれらの組み合わせからなるグループから選択された請求項１９に記載の皮膜形成用組成物。
【請求項２２】
前記ポリマーが、前記溶媒が蒸発すると、耐水性皮膜を形成する請求項１〜２１のいずれか１つに記載の皮膜形成用組成物。
【請求項２３】
前記ポリマー及び前記生物活性剤が、前記溶媒が蒸発しても、均一に分散したままである請求項２２に記載の皮膜形成用組成物。
【請求項２４】
液体包帯として使用された請求項１〜２３のいずれか１つに記載の皮膜形成用組成物。
【請求項２５】
前記ポリマーの溶解度が、４０℃の脱イオン化した水において１重量パーセント未満である請求項１〜２４のいずれか１つに記載の皮膜形成用組成物。
【請求項２６】
前記ポリマーが、２５℃の前記溶媒に少なくとも１重量％の濃度で溶解可能である請求項１〜２５のいずれか１つに記載の皮膜形成用組成物。
【請求項２７】
前記溶媒の沸点が、１気圧で７５℃未満である請求項２６に記載の皮膜形成用組成物。
【請求項２８】
前記溶媒が、９０〜１００重量パーセントの１以上のアルカンと０〜１０重量パーセントの１以上の非水性極性溶媒とを含む請求項２７に記載の皮膜形成用組成物。
【請求項２９】
前記溶媒が、ペンタン、ヘキサン、イソオクタン、またはその混合物からなるグループから選択された９０〜１００重量パーセントの１以上のアルカンと、アルコール、エチルアセテート、アセトン、あるいはその混合物からなるグループから選択された０〜１０重量パーセントの１以上の非水性極性溶媒とを含む請求項２７に記載の皮膜形成用組成物。
【請求項３０】
前記非水性極性溶媒がイソプロパノールであり、前記アルカンがイソオクタンである請求項２８に記載の皮膜形成用組成物。
【請求項３１】
皮膜形成用組成物を作成するためのポリマーであって、
８０モルパーセント〜１００モルパーセントの疎水性成分と、０〜２０モルパーセントの荷電成分との反応生成物からなるポリマーを含み、前記ポリマーが、溶媒中で生物活性剤と共に均一に分散したポリマー。
【請求項３２】
前記ポリマーが、ランダムポリマー、ブロックポリマー、グラフトポリマー、ハイパーブランチポリマーからなるグループから選択された構造を備えた請求項３１に記載のポリマー。
【請求項３３】
前記疎水性成分が、重合可能なモノマー、オリゴマー、またはポリマーを含む物質である請求項３２に記載のポリマー。
【請求項３４】
前記疎水性成分用の物質が、メチルアクリレート（ＭＡ）、メチルメタクリレート（ＭＭＡ）、エチルアクリレート（ＥＡ）、エチルメタクリレート（ＥＭＡ）、２−メトキシエチルアクリレート（ＭＥＡ）、２−メトキシエチルメタクリレート（ＭＥＭＡ）、スチレン（Ｓｔｙ）、酢酸ビニル（ＶＡ）、ネオデカン酸ビニル（ＶＮＤ）、２−エチルヘキシルメタクリレート（ＥＨＭＡ）、２−エチルヘキシルアクリレート（ＥＨＡ）、ブチルアクリレート（ＢＡ）、ブチルメタクリレート（ＢＭＡ）、ラウリルアクリレート（ＬＡ）、及びそれらの混合物からなるグループから選択された請求項３３に記載のポリマー。
【請求項３５】
前記荷電成分が、重合可能なモノマー、オリゴマー、またはポリマーを含む物質である請求項３１〜３４のいずれか１つに記載のポリマー。
【請求項３６】
前記荷電成分の物質が、Ｎ，Ｎ−ジメチルアミノアルキルアクリレート、Ｎ，Ｎ−ジメチルアミノアルキルメタクリレート、Ｎ，Ｎ−ジメチルアミノエチルアクリレート（ＤＭＡＥＡ）、［２（メタクリロイルオキシ）エチル］トリアルキルアンモニウム塩、［２−（アクリロイルオキシ）エチル］トリアルキルアンモニウム塩、塩化［２−（アクリロイルオキシ）エチル］トリメチルアンモニウム（ＡＥＴＭＡＣ）、Ｎ，Ｎ−ジメチルアミノアルキルメタクリルアミド、Ｎ，Ｎ−ジメチルアミノアルキルアクリルアミド、Ｎ，Ｎ，Ｎ−トリメチルアミノアルキルメタクリルアミド塩、Ｎ，Ｎ，Ｎ−トリメチルアミノアルキルアクリルアミド塩、（ビニルベンジル）トリアルキルアンモニウム塩、塩化（ビニルベンジル）トリメチルアンモニウム（ＶＢＴＭＡＣ）、アクリル酸（ＡＡ）、メタクリル酸（ＭＡＡ）、イトコン酸（ＩＣ）、クロトン酸、無水マレイン酸、マレイン酸、フマル酸、モノ−２−（メタクリロイル）エチルコハク酸エステル（ＭＡＥＳ）、２−アクリルアミド−２−メチル−１−プロパンスルホン酸（ＡＭＰＳ）、ビニルホスホン酸（ＶＰＡ）、及びそれらの混合物からなるグループから選択された請求項３５に記載のポリマー。
【請求項３７】
前記ポリマーが、５モルパーセント以下のメタクリル酸（ＭＡＡ）を含み、前記ポリマーの残りのモルパーセントが２−エチルヘキシルメタクリレート（ＥＨＭＡ）及びメチルメタクリレート（ＭＭＡ）であってその割合が７５／２５〜５０／５０モルパーセントＥＨＭＡ／ＭＭＡである請求項３１〜３６のいずれか１つに記載のポリマー。
【請求項３８】
前記ポリマーが、２モルパーセント以下のメタクリル酸（ＭＡＡ）を含み、前記ポリマーの残りのモルパーセントが２−エチルヘキシルメタクリレート（ＥＨＭＡ）及びメチルメタクリレート（ＭＭＡ）であってその割合が５５／４５〜５０／５０モルパーセントＥＨＭＡ／ＭＭＡである請求項３７に記載のポリマー。
【請求項３９】
前記溶媒が、９０〜１００容量パーセントのオクタンと０〜１０容量パーセントのイソプロパノールとを含む請求項３８に記載のポリマー。
【請求項４０】
前記ポリマーが、０〜５モルパーセントのメタクリル酸（ＭＡＡ）と、３０〜４５モルパーセントのメチルメタクリレート（ＭＭＡ）と、１〜１５モルパーセントの２−メトキシエチルメタクリレート（ＭＥＭＡ）とを含み、前記ポリマーの残りのモルパーセントが２−エチルヘキシルメタクリレート（ＥＨＭＡ）である請求項３１〜３６のいずれか１つに記載のポリマー。
【請求項４１】
前記ポリマーが、０〜２モルパーセントのメタクリル酸（ＭＡＡ）と、３５〜４０モルパーセントのメチルメタクリレート（ＭＭＡ）と、５〜１５モルパーセントの２−メトキシエチルメタクリレート（ＭＥＭＡ）とを含み、前記ポリマーの残りのモルパーセントが２−エチルヘキシルメタクリレート（ＥＨＭＡ）である請求項４０に記載のポリマー。
【請求項４２】
前記溶媒が、８５〜１００容量パーセントのオクタンと０〜１５容量パーセントのイソプロパノールとを含む請求項４１に記載のポリマー。
【請求項４３】
前記ポリマーが、さらに親水性成分を含み、前記ポリマーが、０〜１０モルパーセントの荷電成分を含み、前記ポリマーの残りのモルパーセントが親水性成分及び疎水性成分であってその割合が６０／４０パーセント〜８０／２０パーセントである請求項３１に記載のポリマー。
【請求項４４】
前記親水性成分が、重合可能なモノマー、オリゴマー、またはポリマーを含む物質である請求項４３に記載のポリマー。
【請求項４５】
前記親水性成分用の物質が、Ｎ−ビニルピロリドン（ＶＰＬ）、２−ヒドロキシエチルアクリレート（ＨＥＡ）、２−ヒドロキシエチルメタクリレート（ＨＥＭＡ）、Ｎ，Ｎ−ジメチルアクリルアミド（ＤＭＡ）、Ｎ−［トリス（ヒドロキシメチル）メチル］アクリルアミド（ＴＨＭＭＡＭ）、ポリエチレングリコールアクリレート（ＰＥＧＡ）、ポリエチレングリコールメタクリレート（ＰＥＧＭＡ）、及びそれらの混合物からなるグループから選択された請求項４４に記載のポリマー。
【請求項４６】
前記ポリマーが、前記荷電成分として２．０から７．５モルパーセントのアクリル酸（ＡＡ）を含み、前記ポリマーの残りのモルパーセントが、前記疎水性成分としてのメチルアクリレート（ＭＡ）及び前記親水性成分としての２−ヒドロキシエチルメタクリレート（ＨＥＭＡ）であってその割合が４０／６０パーセントＭＡ／ＨＥＭＡ〜２０／８０パーセントＭＡ／ＨＥＭＡである請求項４５に記載のポリマー。
【請求項４７】
前記溶媒が、６０〜８５容量パーセントの水と１５〜４０容量パーセントのエタノールとを含む請求項４６に記載のポリマー。
【請求項４８】
前記溶媒が、さらに水酸化アンモニウム、２−アミノメチルプロパノール（２−ＡＭＰ）、及びそれらの混合物を含む請求項４７に記載のポリマー。
【請求項４９】
前記生物活性剤が、治療薬、化粧剤、及びそれらの混合物からなるグループから選択された親水性物質である請求項３１〜４８のいずれか１つに記載のポリマー。
【請求項５０】
前記治療薬が、治療効果のある量の抗菌剤、局所麻酔剤、抗真菌剤、酸化防止剤、及びそれらの混合物からなるグループから選択された請求項４９に記載のポリマー。
【請求項５１】
前記化粧剤が、顔料、染料、及びそれらの組み合わせからなるグループから選択された請求項５０に記載のポリマー。
【請求項５２】
前記ポリマーが、前記溶媒が蒸発すると、耐水性皮膜を形成する請求項３１〜５１のいずれか１つに記載のポリマー。
【請求項５３】
前記ポリマー及び前記生物活性剤が、前記溶媒が蒸発しても、均一に分散したままである請求項５２に記載のポリマー。
【請求項５４】
液体包帯として使用された請求項３１〜５３のいずれか１つに記載のポリマー。
【請求項５５】
前記ポリマーの溶解度が、４０℃の脱イオン化した水において１重量パーセント未満である請求項３１〜５４のいずれか１つに記載のポリマー。
【請求項５６】
前記ポリマーが、２５℃の前記溶媒に少なくとも１重量％の濃度で溶解可能である請求項３１〜５５のいずれか１つに記載のポリマー。
【請求項５７】
前記溶媒の沸点が、１気圧で７５℃未満である請求項５６に記載のポリマー。
【請求項５８】
前記溶媒が、９０〜１００重量パーセントの１以上のアルカンと０〜１０重量パーセントの１以上の非水性極性溶媒とを含む請求項５７に記載のポリマー。
【請求項５９】
前記溶媒が、ペンタン、ヘキサン、イソオクタン、またはその混合物からなるグループから選択された９０〜１００重量パーセントの１以上のアルカンと、アルコール、エチルアセテート、アセトン、あるいはその混合物からなるグループから選択された０〜１０重量パーセントの１以上の非水性極性溶媒とを含む請求項５８に記載のポリマー。
【請求項６０】
前記非水性極性溶媒がイソプロパノールであり、前記アルカンがイソオクタンである請求項５９に記載のポリマー。
【請求項６１】
皮膜形成用組成物を作成するための方法であって、
（ｉ）８０モルパーセント〜１００モルパーセントの疎水性成分と、０〜２０モルパーセントの荷電成分との反応生成物からなるポリマーと、
（ｉｉ）生物活性剤とを
溶媒に溶解させるステップを含む方法。
【請求項６２】
前記生物活性剤が、治療薬、化粧剤、及びそれらの混合物からなるグループから選択された親水性物質である請求項請求項６１に記載の方法。
【請求項６３】
前記治療薬が、治療効果のある量の抗菌剤、局所麻酔剤、抗真菌剤、酸化防止剤、及びそれらの混合物からなるグループから選択された請求項６２に記載の方法。
【請求項６４】
前記化粧剤が、顔料、染料、及びそれらの組み合わせからなるグループから選択された請求項６２に記載の方法。
【請求項６５】
前記溶媒を蒸発させて前記ポリマー及び前記生物活性剤の耐水性皮膜を形成するステップを含み、前記ポリマー及び前記生物活性剤が、前記溶媒が蒸発しても、均一に分散したままである請求項６１〜６４のいずれか１つに記載の方法。
【請求項６６】
前記疎水性成分が、重合可能なモノマー、オリゴマー、またはポリマーを含む物質である請求項６１〜６５のいずれか１つに記載の方法。
【請求項６７】
前記疎水性成分用の物質が、メチルアクリレート（ＭＡ）、メチルメタクリレート（ＭＭＡ）、エチルアクリレート（ＥＡ）、エチルメタクリレート（ＥＭＡ）、２−メトキシエチルアクリレート（ＭＥＡ）、２−メトキシエチルメタクリレート（ＭＥＭＡ）、スチレン（Ｓｔｙ）、酢酸ビニル（ＶＡ）、ネオデカン酸ビニル（ＶＮＤ）、２−エチルヘキシルメタクリレート（ＥＨＭＡ）、２−エチルヘキシルアクリレート（ＥＨＡ）、ブチルアクリレート（ＢＡ）、ブチルメタクリレート（ＢＭＡ）、ラウリルアクリレート（ＬＡ）、及びそれらの混合物からなるグループから選択された請求項６６に記載の方法。
【請求項６８】
前記荷電成分が、重合可能なモノマー、オリゴマー、またはポリマーを含む物質である請求項６１〜６７のいずれか１つに記載の方法。
【請求項６９】
前記荷電成分の物質が、Ｎ，Ｎ−ジメチルアミノアルキルアクリレート、Ｎ，Ｎ−ジメチルアミノアルキルメタクリレート、Ｎ，Ｎ−ジメチルアミノエチルアクリレート（ＤＭＡＥＡ）、［２（メタクリロイルオキシ）エチル］トリアルキルアンモニウム塩、［２−（アクリロイルオキシ）エチル］トリアルキルアンモニウム塩、塩化［２−（アクリロイルオキシ）エチル］トリメチルアンモニウム（ＡＥＴＭＡＣ）、Ｎ，Ｎ−ジメチルアミノアルキルメタクリルアミド、Ｎ，Ｎ−ジメチルアミノアルキルアクリルアミド、Ｎ，Ｎ，Ｎ−トリメチルアミノアルキルメタクリルアミド塩、Ｎ，Ｎ，Ｎ−トリメチルアミノアルキルアクリルアミド塩、（ビニルベンジル）トリアルキルアンモニウム塩、塩化（ビニルベンジル）トリメチルアンモニウム（ＶＢＴＭＡＣ）、アクリル酸（ＡＡ）、メタクリル酸（ＭＡＡ）、イトコン酸（ＩＣ）、クロトン酸、無水マレイン酸、マレイン酸、フマル酸、モノ−２−（メタクリロイル）エチルコハク酸エステル（ＭＡＥＳ）、２−アクリルアミド−２−メチル−１−プロパンスルホン酸（ＡＭＰＳ）、ビニルホスホン酸（ＶＰＡ）、及びそれらの混合物からなるグループから選択された請求項６８に記載の方法。
【請求項７０】
前記ポリマーを形成するための前記反応が、５モルパーセント以下のメタクリル酸（ＭＡＡ）を反応させて、前記ポリマーを形成するステップを含み、前記ポリマーの残りのモルパーセントが２−エチルヘキシルメタクリレート（ＥＨＭＡ）及びメチルメタクリレート（ＭＭＡ）であってその割合が７５／２５〜５０／５０モルパーセントＥＨＭＡ／ＭＭＡである請求項６１〜６９のいずれか１つに記載の方法。
【請求項７１】
前記ポリマーを形成するための前記反応が、２モルパーセント以下のメタクリル酸（ＭＡＡ）を反応させて、前記ポリマーを形成するステップを含み、前記ポリマーの残りのモルパーセントが２−エチルヘキシルメタクリレート（ＥＨＭＡ）及びメチルメタクリレート（ＭＭＡ）であってその割合が５５／４５〜５０／５０モルパーセントＥＨＭＡ／ＭＭＡである請求項７０に記載の方法。
【請求項７２】
前記溶媒が、９０〜１００容量パーセントのオクタンと０〜１０容量パーセントのイソプロパノールとを含む請求項７１に記載の方法。
【請求項７３】
前記ポリマーが、０〜１０モルパーセントの荷電成分の反応生成物から形成され、残りのモルパーセントが親水性成分及び疎水性成分であってその割合が６０／４０パーセント〜８０／２０パーセントである請求項６１に記載の方法。
【請求項７４】
前記親水性成分が、重合可能なモノマー、オリゴマー、またはポリマーを含む物質である請求項７３に記載の方法。
【請求項７５】
前記親水性成分用の物質が、Ｎ−ビニルピロリドン（ＶＰＬ）、２−ヒドロキシエチルアクリレート（ＨＥＡ）、２−ヒドロキシエチルメタクリレート（ＨＥＭＡ）、Ｎ，Ｎ−ジメチルアクリルアミド（ＤＭＡ）、Ｎ−［トリス（ヒドロキシメチル）メチル］アクリルアミド（ＴＨＭＭＡＭ）、ポリエチレングリコールアクリレート（ＰＥＧＡ）、ポリエチレングリコールメタクリレート（ＰＥＧＭＡ）、及びそれらの混合物からなるグループから選択された請求項７４に記載の方法。
【請求項７６】
前記ポリマーを形成するための前記反応が、前記荷電成分として２．０から７．５モルパーセントのアクリル酸（ＡＡ）を反応させて、前記ポリマーを形成するステップを含み、前記ポリマーの残りのモルパーセントが前記疎水性成分としてのメチルアクリレート（ＭＡ）及び前記親水性成分としての２−ヒドロキシエチルメタクリレート（ＨＥＭＡ）であってその割合が４０／６０パーセントＭＡ／ＨＥＭＡ〜２０／８０パーセントＭＡ／ＨＥＭＡである請求項７５に記載の方法。
【請求項７７】
前記溶媒が、６０〜８５容量パーセントの水と１５〜４０容量パーセントのエタノールとを含む請求項７６に記載の方法。
【請求項７８】
前記溶媒が、さらに水酸化アンモニウム、２−アミノメチルプロパノール（２−ＡＭＰ）、及びそれらの混合物を含む請求項７６に記載の方法。
【請求項７９】
前記皮膜形成用組成物を使用して液体包帯を形成するステップを含む請求項６１〜７８のいずれか１つに記載の方法。
【請求項８０】
前記溶媒の沸点が、１気圧で７５℃未満である請求項６１〜７９のいずれか１つに記載の方法。
【請求項８１】
前記溶媒が、９０〜１００重量パーセントの１以上のアルカンと０〜１０重量パーセントの１以上の非水性極性溶媒とを含む請求項８０に記載の方法。
【請求項８２】
前記溶媒が、ペンタン、ヘキサン、イソオクタン、またはその混合物からなるグループから選択された９０〜１００重量パーセントの１以上のアルカンと、アルコール、エチルアセテート、アセトン、あるいはその混合物からなるグループから選択された０〜１０重量パーセントの１以上の非水性極性溶媒とを含む請求項８１に記載の方法。